Podtech/llm-jp-corpus-v4-ja_patent huggingface dataset:
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
レチクルと基板とを走査しながらスリット光を使い投影光学系を介して前記レチクルのパターンを前記基板に投影して前記基板を露光する露光装置であって、
前記基板を保持するステージと、
前記基板を走査する第１方向および前記投影光学系の光軸に沿う第２方向に前記ステージを位置決めする位置決め機構と、
前記第１方向に沿って間隔を置いて位置する複数の計測点で前記基板の前記第２方向における位置である高さを計測する計測器と、
制御器と、
を備え、
前記複数の計測点は、第１計測点と前記基板に対する前記スリット光の入射領域内の第２計測点とを含み、
前記露光装置は、前記計測器により前記第１計測点で前記基板の高さを計測し、前記第１計測点で計測された高さに基づいて前記位置決め機構により前記ステージを前記第２方向に位置決めしながら前記基板を走査するように構成され、
前記制御器は、
前記基板を露光する前に、前記計測器に、前記基板上の所定位置での前記基板の高さを前記ステージの加速中に前記第１計測点で計測させ、前記所定位置での前記基板の高さを前記ステージの等速移動中に前記第２計測点で計測させ、
前記所定位置での前記基板の高さについての前記第１計測点での計測結果と前記第２計測点での計測結果との差分を算出し、該算出された差分を前記ステージの加速に起因する計測誤差の補正値として取得し、
前記基板の高さが前記第１計測点で前記ステージの加速中に計測された前記基板上の位置で前記基板を露光する場合には、前記第１計測点で計測された高さを前記取得された補正値で補正し、前記補正値で補正された高さに基づいて前記位置決め機構を制御しながら前記基板を走査し、前記基板の高さが前記第１計測点で前記ステージの等速移動中に計測された前記基板上の位置で前記基板を露光する場合には、前記第１計測点で計測された高さに基づいて前記位置決め機構を制御しながら前記基板を走査する、
ことを特徴とする露光装置。
【請求項２】
前記制御器は、ロットの露光処理を行う前に、該ロットに属する少なくとも１枚の基板を用いて前記ステージの加速に起因する計測誤差の補正値を取得し、前記取得された補正値を使用しながら前記ロットに属する基板を走査する、ことを特徴とする請求項１に記載の露光装置。
【請求項３】
レチクルと基板とを第１方向に沿って走査しながらスリット光を使い投影光学系を介して前記レチクルのパターンを前記基板に投影して前記基板を露光する露光方法であって、
計測器により、前記計測器の前記第１方向に沿って間隔を置いて位置する複数の計測点の中のうち第１計測点で前記基板を保持するステージの加速中に前記基板上の所定位置での前記基板の前記投影光学系の光軸に沿う第２方向における位置である高さを計測し、前記基板に対する前記スリット光の入射領域内の第２計測点で前記ステージの等速移動中に前記所定位置での前記基板の高さを計測する工程と、
制御器が、前記所定位置での前記基板の高さについての前記第１計測点での計測結果と前記第２計測点での計測結果との差分を算出し、該算出された差分を前記ステージの加速に起因する計測誤差の補正値として取得する工程と、
前記計測器により前記第１計測点で前記基板の高さを計測し、前記制御器が、前記第１計測点で計測された高さに基づいて前記ステージを前記第２方向に位置決めしながら前記基板を走査する工程と、
を含み、
前記制御器は、前記基板の高さが前記第１計測点で前記ステージの加速中に計測された前記基板上の位置で前記基板を露光する場合には、前記第１計測点で計測された高さを前記取得された補正値で補正し、前記補正値で補正された高さに基づいて前記ステージを位置決めしながら前記基板を走査し、前記基板の高さが前記第１計測点で前記ステージの等速移動中に計測された前記基板上の位置で露光する場合には、前記第１計測点で計測された高さに基づいて前記ステージを位置決めしながら前記基板を走査する、
ことを特徴とする露光方法。
【請求項４】
請求項１または請求項２に記載の露光装置を用いて基板を露光する工程と、
前記露光された基板を現像する工程と、
を有するデバイス製造方法。
【手続補正２】
【補正対象書類名】明細書
【補正対象項目名】０００６
【補正方法】変更
【補正の内容】
【０００６】
本発明は、レチクルと基板とを走査しながらスリット光を使い投影光学系を介して前記レチクルのパターンを前記基板に投影して前記基板を露光する露光装置であって、前記基板を保持するステージと、前記基板を走査する第１方向および前記投影光学系の光軸に沿う第２方向に前記ステージを位置決めする位置決め機構と、前記第１方向に沿って間隔を置いて位置する複数の計測点で前記基板の前記第２方向における位置である高さを計測する計測器と、制御器と、を備え、前記複数の計測点は、第１計測点と前記基板に対する前記スリット光の入射領域内の第２計測点とを含み、前記露光装置は、前記計測器により前記第１計測点で前記基板の高さを計測し、前記第１計測点で計測された高さに基づいて前記位置決め機構により前記ステージを前記第２方向に位置決めしながら前記基板を走査するように構成され、前記制御器は、前記基板を露光する前に、前記計測器に、前記基板上の所定位置での前記基板の高さを前記ステージの加速中に前記第１計測点で計測させ、前記所定位置での前記基板の高さを前記ステージの等速移動中に前記第２計測点で計測させ、前記所定位置での前記基板の高さについての前記第１計測点での計測結果と前記第２計測点での計測結果との差分を算出し、該算出された差分を前記ステージの加速に起因する計測誤差の補正値として取得し、前記基板の高さが前記第１計測点で前記ステージの加速中に計測された前記基板上の位置で前記基板を露光する場合には、前記第１計測点で計測された高さを前記取得された補正値で補正し、前記補正値で補正された高さに基づいて前記位置決め機構を制御しながら前記基板を走査し、前記基板の高さが前記第１計測点で前記ステージの等速移動中に計測された前記基板上の位置で前記基板を露光する場合には、前記第１計測点で計測された高さに基づいて前記位置決め機構を制御しながら前記基板を走査する、ことを特徴とする。
【手続補正書】
【提出日】平成25年2月12日(2013.2.12)
【手続補正１】
【補正対象書類名】明細書
【補正対象項目名】０００７
【補正方法】変更
【補正の内容】
【０００７】
上記目的を達成するため、本発明の第１の観点にかかる被処理体の搬送方法は、
処理装置に配置されているセンサからの情報に基づいて、当該処理装置に収納されている被処理体に異常があるか否かを判別する異常判別工程と、
前記異常判別工程で異常があると判別された被処理体の収容位置、及び、異常の種類を特定する異常特定工程と、
前記異常特定工程で特定された被処理体の収容位置、及び、異常の種類に基づいてスキップ位置を決定するスキップ位置決定工程と、
前記スキップ位置決定工程で決定されたスキップ位置に収容された被処理体の搬送をスキップし、異常が検知されなかった被処理体を自動搬送する自動搬送工程と、
前記自動搬送工程後に、前記異常が検知された被処理体から自動搬送可能な被処理体を特定する被処理体特定工程と、
前記被処理体特定工程で特定された被処理体を自動搬送する被処理体自動搬送工程と、
を備える、ことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】００１２
【補正方法】変更
【補正の内容】
【００１２】
本発明の第２の観点にかかる被処理体の搬送装置は、
処理装置に配置されているセンサからの情報に基づいて、当該処理装置に収納されている被処理体に異常があるか否かを判別する異常判別手段と、
前記異常判別手段で異常があると判別された被処理体の収容位置、及び、異常の種類を特定する異常特定手段と、
前記異常特定手段で特定された被処理体の収容位置、及び、異常の種類に基づいてスキップ位置を決定するスキップ位置決定手段と、
前記スキップ位置決定手段で決定されたスキップ位置に収容された被処理体の搬送をスキップし、異常が検知されなかった被処理体を自動搬送する自動搬送手段と、
前記自動搬送手段により異常が検知されなかった被処理体を自動搬送した後に、前記異常が検知された被処理体から自動搬送可能な被処理体を特定する被処理体特定手段と、
前記被処理体特定手段で特定された被処理体を自動搬送する被処理体自動搬送手段と、
を備える、ことを特徴とする。
【手続補正４】
【補正対象書類名】明細書
【補正対象項目名】００１３
【補正方法】変更
【補正の内容】
【００１３】
本発明の第３の観点にかかるプログラムは、
コンピュータを、
処理装置に配置されているセンサからの情報に基づいて、当該処理装置に収納されている被処理体に異常があるか否かを判別する異常判別手段、
前記異常判別手段で異常があると判別された被処理体の収容位置、及び、異常の種類を特定する異常特定手段、
前記異常特定手段で特定された被処理体の収容位置、及び、異常の種類に基づいてスキップ位置を決定するスキップ位置決定手段、
前記スキップ位置決定手段で決定されたスキップ位置に収容された被処理体の搬送をスキップし、異常が検知されなかった被処理体を自動搬送する自動搬送手段、
前記自動搬送手段により異常が検知されなかった被処理体を自動搬送した後に、前記異常が検知された被処理体から自動搬送可能な被処理体を特定する被処理体特定手段、
前記被処理体特定手段で特定された被処理体を自動搬送する被処理体自動搬送手段、
として機能させる、ことを特徴とする。
【手続補正５】
【補正対象書類名】特許請求の範囲
【補正対象項目名】全文
【補正方法】変更
【補正の内容】
【特許請求の範囲】
【請求項１】
処理装置に配置されているセンサからの情報に基づいて、当該処理装置に収納されている被処理体に異常があるか否かを判別する異常判別工程と、
前記異常判別工程で異常があると判別された被処理体の収容位置、及び、異常の種類を特定する異常特定工程と、
前記異常特定工程で特定された被処理体の収容位置、及び、異常の種類に基づいてスキップ位置を決定するスキップ位置決定工程と、
前記スキップ位置決定工程で決定されたスキップ位置に収容された被処理体の搬送をスキップし、異常が検知されなかった被処理体を自動搬送する自動搬送工程と、
前記自動搬送工程後に、前記異常が検知された被処理体から自動搬送可能な被処理体を特定する被処理体特定工程と、
前記被処理体特定工程で特定された被処理体を自動搬送する被処理体自動搬送工程と、
を備える、ことを特徴とする被処理体の搬送方法。
【請求項２】
前記被処理体特定工程では、前記異常が検知された被処理体の異常の種類に基づいて、自動搬送可能な被処理体を特定する、ことを特徴とする請求項１に記載の被処理体の搬送方法。
【請求項３】
前記被処理体特定工程では、
前記スキップ位置決定工程で決定されたスキップ位置を表示する表示工程と、
前記表示工程で表示されたスキップ位置の変更に関する情報を受信する受信工程と、
前記受信工程で受信されたスキップ位置の変更に関する情報に基づいて、自動搬送する被処理体を特定する特定工程と、
をさらに備える、ことを特徴とする請求項１に記載の被処理体の搬送方法。
【請求項４】
前記被処理体自動搬送工程後に、前記処理装置内に残存した被処理体をマニュアル搬送するマニュアル搬送工程をさらに備える、ことを特徴とする請求項１乃至３のいずれか１項に記載の被処理体の搬送方法。
【請求項５】
処理装置に配置されているセンサからの情報に基づいて、当該処理装置に収納されている被処理体に異常があるか否かを判別する異常判別手段と、
前記異常判別手段で異常があると判別された被処理体の収容位置、及び、異常の種類を特定する異常特定手段と、
前記異常特定手段で特定された被処理体の収容位置、及び、異常の種類に基づいてスキップ位置を決定するスキップ位置決定手段と、
前記スキップ位置決定手段で決定されたスキップ位置に収容された被処理体の搬送をスキップし、異常が検知されなかった被処理体を自動搬送する自動搬送手段と、
前記自動搬送手段により異常が検知されなかった被処理体を自動搬送した後に、前記異常が検知された被処理体から自動搬送可能な被処理体を特定する被処理体特定手段と、
前記被処理体特定手段で特定された被処理体を自動搬送する被処理体自動搬送手段と、
を備える、ことを特徴とする被処理体の搬送装置。
【請求項６】
コンピュータを、
処理装置に配置されているセンサからの情報に基づいて、当該処理装置に収納されている被処理体に異常があるか否かを判別する異常判別手段、
前記異常判別手段で異常があると判別された被処理体の収容位置、及び、異常の種類を特定する異常特定手段、
前記異常特定手段で特定された被処理体の収容位置、及び、異常の種類に基づいてスキップ位置を決定するスキップ位置決定手段、
前記スキップ位置決定手段で決定されたスキップ位置に収容された被処理体の搬送をスキップし、異常が検知されなかった被処理体を自動搬送する自動搬送手段、
前記自動搬送手段により異常が検知されなかった被処理体を自動搬送した後に、前記異常が検知された被処理体から自動搬送可能な被処理体を特定する被処理体特定手段、
前記被処理体特定手段で特定された被処理体を自動搬送する被処理体自動搬送手段、
として機能させるプログラム。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
２枚の基板の貼り合わせ面同士を貼り合わせて１枚の基板を形成する基板処理装置であって、
貼り合わせを行う前に、前記２枚の基板のうちの少なくとも一方の基板の貼り合わせ面の表面状態を検出する表面状態検出部と、
前記検出された表面状態に基づいて貼り合わせ強度を判定する貼り合わせ強度判定部と、
を備え、
前記表面状態検出部は、前記表面状態として、前記貼り合わせ面における電気抵抗、抵抗率、導電率からなる群より選ばれた少なくとも１つを検出することを特徴とする基板処理装置。
【請求項２】
前記２枚の基板のうちの少なくとも一方はボロンがドープされたシリコン基板であり、  前記貼り合わせ強度判定部は、前記抵抗率が０．１Ωｃｍを超えた場合には、前記貼り合わせ強度に関して適正との判定を行うことを特徴とする請求項１記載の基板処理装置。
【請求項３】
前記２枚の基板のうちの少なくとも一方は支持基板であり、
前記表面状態検出部は、前記支持基板の表面状態を検出することを特徴とする請求項１または２に記載の基板処理装置。
【請求項４】
前記貼り合わせ強度判定部において、前記貼り合わせ強度が適切と判定された基板は前記基板の貼り合わせに用いられ、前記貼り合わせ強度が不適切と判定された基板は前記基板の貼り合わせに用いられないことを特徴とする請求項１〜３のいずれか１つに記載の基板処理装置。
【請求項５】
２枚の基板の貼り合わせ面同士を貼り合わせて１枚の基板を形成する基板処理方法であって、
貼り合わせを行う前に、前記２枚の基板のうちの少なくとも一方の基板の貼り合わせ面の表面状態を検出する工程と、
前記検出された表面状態に基づいて貼り合わせ強度を判定する工程と、
を備え、
前記表面状態を検出する工程において、前記表面状態として、前記貼り合わせ面における電気抵抗、抵抗率、導電率からなる群より選ばれた少なくとも１つを検出することを特徴とする基板処理方法。
【請求項６】
前記２枚の基板のうちの少なくとも一方はボロンがドープされたシリコン基板であり、
前記貼り合わせ強度を判定する工程において、前記抵抗率が０．１Ωｃｍを超えた場合には、前記貼り合わせ強度に関して適正との判定を行うことを特徴とする請求項５記載の基板処理方法。
【請求項７】
前記２枚の基板のうちの少なくとも一方は支持基板であり、
前記表面状態を検出する工程において、前記支持基板の表面状態を検出することを特徴とする請求項５または６に記載の基板処理方法。
【請求項８】
前記貼り合わせ強度を判定する工程において、前記貼り合わせ強度が適切と判定された基板は前記基板の貼り合わせに用いられ、前記貼り合わせ強度が不適切と判定された基板は前記基板の貼り合わせに用いられないことを特徴とする請求項５〜７のいずれか１つに記載の基板処理方法。
【手続補正２】
【補正対象書類名】明細書
【補正対象項目名】０００６
【補正方法】変更
【補正の内容】
【０００６】
本発明の一態様によれば、２枚の基板の貼り合わせ面同士を貼り合わせて１枚の基板を形成する基板処理装置であって、
貼り合わせを行う前に、前記２枚の基板のうちの少なくとも一方の基板の貼り合わせ面の表面状態を検出する表面状態検出部と、
前記検出された表面状態に基づいて貼り合わせ強度を判定する貼り合わせ強度判定部と、
を備えたことを特徴とする基板処理装置であって、
前記表面状態検出部は、前記表面状態として、前記貼り合わせ面における電気抵抗、抵抗率、導電率からなる群より選ばれた少なくとも１つを検出することを特徴とする基板処理装置が提供される。
【手続補正３】
【補正対象書類名】明細書
【補正対象項目名】０００７
【補正方法】変更
【補正の内容】
【０００７】
また、本発明の他の一態様によれば、２枚の基板の貼り合わせ面同士を貼り合わせて１枚の基板を形成する基板処理方法であって、
貼り合わせを行う前に、前記２枚の基板のうちの少なくとも一方の基板の貼り合わせ面の表面状態を検出する工程と、
前記検出された表面状態に基づいて貼り合わせ強度を判定する工程と、
を備えたことを特徴とする基板処理方法であって、
前記表面状態を検出する工程において、前記表面状態として、前記貼り合わせ面における電気抵抗、抵抗率、導電率からなる群より選ばれた少なくとも１つを検出することを特徴とする基板処理方法が提供される。
【手続補正書】
【提出日】平成25年4月25日(2013.4.25)
【手続補正１】
【補正対象書類名】明細書
【補正対象項目名】発明の名称
【補正方法】変更
【補正の内容】
【発明の名称】光発電モジュール支持構造及びその支持高さ調整方法
【手続補正２】
【補正対象書類名】特許請求の範囲
【補正対象項目名】全文
【補正方法】変更
【補正の内容】
【特許請求の範囲】
【請求項１】
光発電モジュールを縦方向並びに横方向に多数並べて支持する光発電モジュール支持構造であって、平面視で方形の４隅に位置する４本の支柱と、前記４本の支柱のうちの横並びの２本の支柱毎に跳ね出し状に支持される２本の受梁と、前記２本の受梁上に跳ね出し状に支持され且つ光発電モジュールを搭載支持する複数の根太と、前記根太と光発電モジュールとの間に介装され且つ光発電モジュールを揺動可能に支持する揺動支持機構と、前記支柱と受梁との間に介装され且つ支柱の不等沈下に対応して受梁の高さを調整可能とした支持高さ調整機構とを備えたことを特徴とする光発電モジュール支持構造。
【請求項２】
前記支柱間の水平方向の距離を６ｍ以上としたことを特徴とする請求項１に記載の光発電モジュール支持構造。
【請求項３】
前記受梁の全長に対する当該受梁の支柱からの跳ね出し片側長さの比及び前記根太の全長に対する当該根太の受梁からの跳ね出し片側長さの比を０．２０以上０．２２以下としたことを特徴とする請求項１又は２に記載の光発電モジュール支持構造。
【請求項４】
前記支持高さ調整機構は、光発電モジュールの水平面に対する傾斜角度を調整する傾斜角度調整機構を備えることを特徴とする請求項１乃至３の何れか一項に記載の光発電モジュール支持構造。
【請求項５】
前記支持高さ調整機構は、受梁の連結点を上下方向に移動するための支柱部材移動機構を備え、前記傾斜角度調整機構は、受梁の連結点を回転する回転連結機構を備えることを特徴とする請求項４に記載の光発電モジュール支持構造。
【請求項６】
前記支柱部材移動機構は、支柱部材の移動を規制する規制機構を備えたことを特徴とする請求項５に記載の光発電モジュール支持構造。
【請求項７】
請求項１乃至６の何れか一項に記載の光発電モジュール支持構造に対し、
透明な樹脂製カップで構成されると共に下部には連結用パイプが突設され、前記樹脂製カップの内部は連結用パイプの先端で外部と連通している沈下量モニタを、前記４本の支柱の夫々に同じ高さに取付け、
前記連結用パイプにチューブを差し込んで前記４つの沈下量モニタを連結し、
その状態で、全ての前記沈下量モニタの内部に液体を供給し、
前記沈下量モニタの内部の液体の液面高さが変化した場合、前記沈下量モニタの内部の液体の液面高さが最も低い支柱に合わせて、その他の支柱の受梁の高さを前記支持高さ調整機構で調整することを特徴とする光発電モジュール支持構造の支持高さ調整方法。
【手続補正書】
【提出日】平成25年4月18日(2013.4.18)
【手続補正１】
【補正対象書類名】特許請求の範囲
【補正対象項目名】請求項６
【補正方法】変更
【補正の内容】
【請求項６】
陰極部と、ターゲットおよび当該ターゲットを支持する支持軸を備えた陽極部と、前記陰極部および陽極部を収納する外囲器と、を備えたX線管において、
前記支持軸は、前記ターゲットの裏面との接合面を有するフランジ部が一体に形成されており、前記フランジ部は、前記接合面を備えた円筒部と、前記円筒部と支持軸本体とをつなぐ円盤部とからなり、前記円盤部の厚みが前記円筒部の厚みより薄いことを特徴とするＸ線管。
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
印刷装置に印刷を指示する印刷指示手段が表示手段に接近または接触したことを検知する検知手段と、
前記検知手段によって接近または接触を検知された前記印刷指示手段の、前記表示手段の表示画面に対応する位置を検出する位置検出手段と、
前記位置検出手段により検出された前記位置と、前記表示画面に表示されている各コンテンツとの距離をそれぞれ取得する取得手段と、
前記取得手段によって取得された各距離に基づいて、前記印刷装置によって前記各コンテンツを印刷する場合の印刷順序を決定する順序決定手段と
を備えることを特徴とする表示制御装置。
【請求項２】
前記順序決定手段は、前記取得手段によって取得された前記距離が近いコンテンツから順に印刷されるよう前記印刷順序を決定することを特徴とする請求項１に記載の表示制御装置。
【請求項３】
前記順序決定手段は、前記表示画面に表示されているコンテンツの位置が変更された場合に、前記印刷順序を更新することを特徴とする請求項１乃至２の何れか１項に記載の表示制御装置。
【請求項４】
前記順序決定手段により決定された前記印刷順序を、前記表示画面に表示させる表示制御手段を備えることを特徴とする請求項１乃至３の何れか１項に記載の表示制御装置。
【請求項５】
前記取得手段は、前記表示画面に表示されている各コンテンツの大きさに応じて、前記距離に重み付けを行うことを特徴とする請求項１乃至４の何れか１項に記載の表示制御装置。
【請求項６】
更に、前記表示画面に表示されているコンテンツのうち、前記印刷装置によって印刷する対象となる対象コンテンツを決定する対象決定手段を備え、
前記順序決定手段は、前記取得手段によって取得された前記距離に基づいて、前記対象決定手段によって決定された前記対象コンテンツを前記印刷装置に印刷させる場合の印刷順序を決定することを特徴とする請求項１乃至５の何れか１項に記載の表示制御装置。
【請求項７】
前記対象決定手段は、前記表示画面に複数のコンテンツから成るコンテンツ群が一列に並べて表示されている場合であって、前記検知手段によって検知された前記印刷指示手段が、前記コンテンツ群の末端に相当する位置に表示されているコンテンツの位置に接近または接触された場合に、前記コンテンツ群のみを前記対象コンテンツと決定することを特徴とする請求項６に記載の表示制御装置。
【請求項８】
表示手段に接近または接触した印刷装置を検知する検知手段と、
前記検知手段により検知された前記印刷装置の、前記表示手段の表示画面に対応する位置を検出する位置検出手段と、
前記位置検出手段により検出された前記位置と、前記表示画面に表示されている各コンテンツとの距離をそれぞれ取得する取得手段と、
前記取得手段によって取得された各距離に基づいて、前記印刷装置によって前記各コンテンツを印刷する場合の印刷順序を決定する順序決定手段と
を備えることを特徴とする表示制御装置。
【請求項９】
コンピュータに読み込み込ませ実行させることで、前記コンピュータを請求項１乃至８のいずれか１項に記載の表示制御装置として機能させるコンピュータプログラム。
【請求項１０】
請求項９に記載のコンピュータプログラムを記憶したことを特徴とするコンピュータ可読記憶媒体。
【請求項１１】
印刷装置に印刷を指示する印刷指示手段が表示手段に接近または接触したことを検知する検知工程と、
前記検知工程によって接近または接触を検知された前記印刷指示手段の、前記表示手段の表示画面に対応する位置を検出する位置検出工程と、
前期位置検出工程によって検出された前記位置と、前記表示画面に表示されている各コンテンツとの距離をそれぞれ取得する取得工程と、
前記取得工程によって取得された各距離に基づいて、前記印刷装置によって前記各コンテンツを印刷する場合の印刷順序を決定する順序決定工程と
を備えることを特徴とする表示制御方法。
【手続補正２】
【補正対象書類名】明細書
【補正対象項目名】０００６
【補正方法】変更
【補正の内容】
【０００６】
上述課題を解決するため、本発明の表示制御装置によれば、印刷装置に印刷を指示する印刷指示手段が表示手段に接近または接触したことを検知する検知手段と、前記検知手段によって接近または接触を検知された前記印刷指示手段の、前記表示手段の表示画面に対応する位置を検出する位置検出手段と、前記位置検出手段により検出された前記位置と、前記表示画面に表示されている各コンテンツとの距離をそれぞれ取得する取得手段と、前記取得手段によって取得された各距離に基づいて、前記印刷装置によって前記各コンテンツを印刷する場合の印刷順序を決定する順序決定手段とを備えることを特徴とする。
【手続補正書】
【提出日】平成25年5月11日(2013.5.11)
【手続補正１】
【補正対象書類名】明細書
【補正対象項目名】０００８
【補正方法】変更
【補正の内容】
【０００８】
本発明が解決しようとする第１の課題は、カメラとテーブルの位置・姿勢関係を自動的に求めるキャリブレーション方法において、キャリブレーションの精度が十分に出ないことにより、そのキャリブレーション結果を使ったアライメントに要する時間が長くなる又はアライメントの精度が上がらない等の従来の問題点を解決し、キャリブレーション結果を使って計算するテーブル移動量によるほぼ一回のテーブル移動によって所定の高精度のアライメントを可能とし、結果として短い所要時間でアライメントを可能とする高い精度のキャリブレーション結果が得られる自動キャリブレーション方法を提供することにある。
本発明が解決しようとする第２の課題は、実際にアライメントが必要な現場においてアライメント装置を含む一連の装置の調整作業工程を利用することによって、キャリブレーション工程のための特別な時間を設けることなく、またキャリブレーション工程に対する特別な意識を持つことなく、第１の課題を解決できるキャリブレーション方法を提供することである。
【手続補正２】
【補正対象書類名】明細書
【補正対象項目名】００１５
【補正方法】変更
【補正の内容】
【００１５】
以上の課題を解決するための第１の手段において、位置・姿勢関係Ａｋを取得する所定の方法は、テーブル基準座標系（便宜的に世界座標系とする）に基づいてテーブルに所定の移動を行わせ、テーブル位置・姿勢を計測するための位置決め基準点の位置・姿勢をカメラの撮像画像により計測することに基づくいかなる方法であってもよい。テーブル基準座標系を便宜的に世界座標系としたが、このようにすることは、基準とする座標系の選択の問題であって一般性を失わない。
また、位置・姿勢関係Ａｋを取得する所定の方法は、熟練と経験等に基づいて直接位置・姿勢関係Ａｋに相当する数値を決定する方法でも構わない。
そして、テーブル位置・姿勢を計測するための基準点（位置決め基準点）は、例えば、位置決め基準マーク（アライメントマークともいう）の代表点又は二次元図形として撮像画像上で容易に認識できる任意の図形等の特徴点であれば何でもよく、容易に認識可能な特徴点であることが位置・姿勢の計測の容易さの観点から好ましい。
また、位置決め装置（アライメント装置）のテーブルの平行移動および回転移動の自由度の数は基本的に制限しないし、カメラの数も基本的に制限しない。
また、任意に選択するテーブルの現在位置・姿勢と任意に選択するテーブルの目標位置・姿勢は、当該複数回の繰返しの各回間で異なる位置・姿勢を採ることがキャリブレーション精度上好ましい。
【手続補正３】
【補正対象書類名】明細書
【補正対象項目名】００１８
【補正方法】変更
【補正の内容】
【００１８】
その方法は、上述した本発明の課題を解決する第１の手段のステップＳ１において、任意に選択した位置決め基準点の現在位置から任意に選択した位置決め基準点の目標位置へのアライメント動作を複数回行う代わりに、位置決め装置の試運転等の環境において実ワークがテーブル上に供給されたときのありのままの、アトランダムな位置・姿勢のばらつきを持つ位置決め基準点の位置を現在位置として、所定の既知であるアライメントの目標位置へのアライメント動作を実ワークが供給されるたびに実行することによって、当該アライメント動作を複数回行うことによってステップＳ１におけると同様な方法で位置・姿勢補正手段（位置・姿勢関係Ｂｋ）を求め、求められた位置・姿勢関係Ｂｋと位置・姿勢関係Ａｋとから位置・姿勢関係Ｃｋを取得することによってキャリブレーションを行う方法である。
【手続補正４】
【補正対象書類名】明細書
【補正対象項目名】００１９
【補正方法】変更
【補正の内容】
【００１９】
この方法によれば、実ワークがテーブル上に供給されるときの位置・姿勢が最も現実に近いバラツキを持っていることと、本発明の課題を解決するための第１の手段のステップＳ１において任意に選択する現在位置のばらつきよりランダム性が満たされることのメリットにより、上述した本発明の課題を解決するための第１の手段のステップＳ１を採用した場合よりキャリブレーション精度が改善する効果がある。この効果により本発明の第２の課題が解決されることになる。また、上記試運転等の際にキャリブレーションを行うようにコンピュータシステムを設定しておけば、自動的にキャリブレーションが行われることから、殊更、アライメント装置のキャリブレーションを行うという手間とそのための意識をしなくて済むメリットがある。
【手続補正５】
【補正対象書類名】明細書
【補正対象項目名】００３０
【補正方法】変更
【補正の内容】
【００３０】
カメラｋの座標系で観測された任意の点の位置ベクトル（位置・姿勢）をテーブル基準座標系（世界座標系）の位置ベクトル（位置・姿勢）へ変換する計算手段（カメラｋの座標系とテーブル基準座標系（世界座標系）の位置・姿勢関係を表すもの）の表現は、（２）式のように「変換行列」という表現形態だけではなく、等価な他の「数学的計算手順」の表現形態を採ることも可能である。
また、図３は、上記任意の点を位置決め基準点ｍｋとした場合の、当該任意の点のΣｖｋとΣｗｃ上の位置ベクトルを示した図となっている。
【手続補正６】
【補正対象書類名】明細書
【補正対象項目名】００５２
【補正方法】変更
【補正の内容】
【００５２】
以下、上記既知である任意位置ベクトルの諸元を取得する方法について、説明をする。
位置決め装置のテーブルの移動はテーブル基準座標系(世界座標系)Σｗｃ上で行われ、移動量の指令と把握はΣｗｃの単位に関連付けてなされていることから、テーブルと共に移動する座標系Σｗ（テーブル位置・姿勢座標系ともいい、その単位はΣｗｃと同じ）の基準位置をΣｗｃとの所定の位置・姿勢関係と定めてテーブルの駆動を行うモータの制御を行い、テーブル位置・姿勢座標系のテーブル基準座標系（世界座標系）に対する位置・姿勢関係を把握しておけることから、これを使用すれば、２個の位置決め基準点が（ｇ０、ｇ１）および（ｆ０、ｆ１）のときのテーブル位置・姿勢座標系ΣｗをΣｗｉおよびΣｗｊとしたとき、ΣｗｉとΣｗｃの位置・姿勢関係およびΣｗｊとΣｗｃの位置・姿勢関係は容易に知ることができる。従って、
【数１５】
2011238097.tif 000001
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
少なくとも位置情報がメタデータとして付された画像を検索し、検索された画像のランキングを作成する方法であって、
検索対象の画像についてのクエリと場所情報とを含む入力を受け付けるステップと、
前記クエリに基づき、前記画像を検索するステップと、
前記検索された画像の特徴量を抽出し、抽出された特徴量に基づいて前記検索された各画像間の類似度を求めるステップと、
前記検索された画像の前記メタデータ内の位置情報により示された位置と前記入力された場所情報により示された位置との距離を算出するステップと、
前記類似度と前記距離とを用いて、前記ランキングを作成するステップと、を含むことを特徴とする、ランキングを作成する方法。
【請求項２】
少なくとも位置情報がメタデータとして付された画像を検索し、検索された画像のランキングを作成するシステムであって、
検索対象の画像についてのクエリと場所情報とを含む入力を受け付ける入力受付部と、
前記クエリに基づき、前記画像を検索する検索部と、
前記検索された画像の特徴量を抽出し、抽出された特徴量に基づいて前記検索された各画像間の類似度を求める類似度作成部と、
前記検索された画像の前記メタデータ内の位置情報により示された位置と前記入力された場所情報により示された位置との距離を算出する距離算出部と、
前記類似度と前記距離を用いて、前記ランキングを作成するランキング計算部と、を備えたことを特徴とする、ランキングを作成するシステム。
【請求項３】
前記入力受付部は、前記ランキングを作成する際の前記類似度と前記距離の重みづけの入力をさらに受け付けるものであることを特徴とする請求項２記載のランキングを作成するシステム。
【請求項４】
前記入力受付部は、複数の前記場所情報の入力を受け付けるものであり、
前記距離算出部は、前記複数の場所情報の各々について、前記距離を算出するものであり、
前記ランキング計算部は、前記類似度と、算出された複数の前記距離とを用いて、前記ランキングを作成することを特徴とする請求項２または３に記載のランキングを作成するシステム。
【請求項５】
前記距離が小さいほど前記ランキングに対して大きなバイアスをかけることを特徴とする、請求項２乃至４のいずれかに記載のランキングを作成するシステム。
【請求項６】
前記距離が大きいほど前記ランキングに対して大きなバイアスをかけることを特徴とする、請求項２乃至４のいずれかに記載のランキングを作成するシステム。
【請求項７】
前記類似度作成部は、前記検索された画像の視覚特徴量を抽出するとともに、前記検索された画像の前記メタデータ内のテキスト情報からテキスト特徴量ベクトルを抽出し、抽出された前記視覚的特徴量と前記テキスト特徴量とに基づいて前記類似度を求めるものであることを特徴とする請求項２乃至６のいずれかに記載のランキングを作成するシステム。
【請求項８】
前記類似度作成部は、複数の画像から前記類似度を求めるものであることを特徴とする請求項２乃至７のいずれかに記載のランキングを作成するシステム。
【請求項９】
前記類似度作成部は、類似度行列を作成するものであり、
前記距離算出部によって算出された距離に基づきバイアスベクトルを作成するバイアス作成部をさらに備え、
前記ランキング計算部は、前記類似度行列と前記バイアスベクトルとを用いて、下記（１）式を反復計算することによりランキングを作成するものであることを特徴とする請求項２乃至８のいずれかに記載のランキングを作成するシステム。
Ｒ＝α（Ｓ×Ｒ）＋（１−α）Ｐ ・・・（１）
但し、
Ｒは、ランキング値、
Ｓは、類似度行列、
Ｐは、バイアスベクトル、
αは、バイアスの強さを調整するパラメータ（０＜＝α＜＝１）、である。
【請求項１０】
コンピュータを、請求項２乃至９のいずれかに記載のランキングを作成するシステムとして機能させるためのプログラム。
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
店員と顧客の会話を取得する会話取得部と、
前記会話に含まれる前記店員の音声および前記顧客の音声に基づいて、前記店員の感情および前記顧客の感情を認識する感情認識部と、
前記感情認識部の認識結果に基づいて、店員満足度データおよび顧客満足度データを算出する満足度算出部と、
前記店員満足度データと前記顧客満足度データとを関連付けた接客データをデータベースに記録する接客データ記録部と、
を備えることを特徴とする接客データ記録装置。
【請求項２】
前記店員と前記顧客との間において所定時間以上途切れないまま繰り返される一連の会話を１の接客区間としたとき、前記接客区間を特定する接客区間特定部を備え、
前記接客データ記録部は、前記接客区間の前記店員満足度データおよび前記顧客満足度データを記録する請求項１に記載の接客データ記録装置。
【請求項３】
前記接客データ記録部は、前記店員満足度データおよび前記顧客満足度データに、前記接客区間の開始時間および／または終了時間を関連付けて記録する請求項２に記載の接客データ記録装置。
【請求項４】
前記店員および前記顧客を識別する識別部を備え、
前記接客データ記録部は、前記店員満足度データおよび前記顧客満足度データに、前記店員を識別した店員識別情報と、前記顧客を識別した顧客識別情報と、を関連付けて記録する請求項１ないし３のいずれか１項に記載の接客データ記録装置。
【請求項５】
前記接客データ記録部は、前記店員満足度データおよび前記顧客満足度データに、前記店員の前記顧客に対する売上実績を関連付けて記録する請求項１ないし４のいずれか１項に記載の接客データ記録装置。
【請求項６】
前記接客データ記録部は、前記店員満足度データおよび前記顧客満足度データに、取得した前記会話の録音データおよび前記店員の前記顧客に対する接客の撮像データを関連付けて記録する請求項１ないし５のいずれか１項に記載の接客データ記録装置。
【請求項７】
前記録音データを再生する録音再生部と、
前記録音再生部での再生の進行状況を示すプログレスバーを表示するプログレスバー表示部と、
連続する音声の区間を１の発話区間、所定時間以上途切れないまま繰り返される前記店員または前記顧客の前記発話区間の集合体を１の話し掛け区間としたとき、前記話し掛け区間を特定する話し掛け区間特定部と、を備え、
前記プログレスバー表示部は、前記話し掛け区間特定部により特定した前記店員の話し掛け区間と前記顧客の話し掛け区間とを色分けして、前記プログレスバーを表示する請求項６に記載の接客データ記録装置。
【請求項８】
前記接客データに基づいて、ビューアー画面を表示する画面表示部を備える請求項１ないし７のいずれかに記載の接客データ記録装置。
【請求項９】
店員と顧客の会話を取得する会話取得工程と、
前記会話に含まれる前記店員の音声および前記顧客の音声に基づいて、前記店員の感情および前記顧客の感情を認識する感情認識工程と、
前記感情認識工程の認識結果に基づいて、店員満足度データおよび顧客満足度データを算出する満足度算出工程と、
前記店員満足度データと前記顧客満足度データとを関連付けた前記接客データをデータベースに記録する接客データ記録工程と、
を備えることを特徴とする接客データ記録方法。
【請求項１０】
コンピューターに、請求項９に記載の接客データ記録方法における各工程を実行させるためのプログラム。
【手続補正２】
【補正対象書類名】明細書
【補正対象項目名】０００６
【補正方法】変更
【補正の内容】
【０００６】
本発明の接客データ記録装置は、店員と顧客の会話を取得する会話取得部と、会話に含まれる店員の音声および顧客の音声に基づいて、それぞれ店員の感情および顧客の感情を認識する感情認識部と、感情認識部の認識結果に基づいて、店員満足度データおよび顧客満足度データを算出する満足度算出部と、店員満足度データと顧客満足度データとを関連付けた接客データをデータベースに記録する接客データ記録部と、を備えることを特徴とする。
【手続補正３】
【補正対象書類名】明細書
【補正対象項目名】０００７
【補正方法】変更
【補正の内容】
【０００７】
本発明の接客データ記録方法は、店員と顧客の会話を取得する会話取得工程と、会話に含まれる店員の音声および顧客の音声に基づいて、それぞれ店員の感情および顧客の感情を認識する感情認識工程と、感情認識工程の認識結果に基づいて、店員満足度データおよび顧客満足度データを算出する満足度算出工程と、店員満足度データと顧客満足度データとを関連付けた接客データをデータベースに記録する接客データ記録工程と、を備えることを特徴とする。
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
店員と顧客の会話を取得する会話取得部と、
取得した前記会話から、前記店員の話し掛けによる音声区間である店員話し掛け区間と、前記顧客の話し掛けによる音声区間である顧客話し掛け区間と、を抽出する話し掛け区間抽出部と、
前記店員話し掛け区間の長さと前記顧客話し掛け区間の長さとで会話比率のデータを算出する会話比率算出部と、
前記顧客話し掛け区間の音声に基づいて、顧客の感情を認識する顧客感情認識部と、
前記顧客感情認識部の認識結果に基づいて、顧客満足度のデータを算出する顧客満足度算出部と、
算出した前記会話比率のデータと算出した前記顧客満足度のデータとを関連付けた接客データをデータベースに記録する接客データ記録部と、
を備えることを特徴とする接客データ記録装置。
【請求項２】
前記会話比率は、前記店員話し掛け区間の長さと前記顧客話し掛け区間の長さとの比率、前記店員話し掛け区間の長さの前記店員話し掛け区間の長さと前記顧客話し掛け区間の長さとの合計に対する比率、もしくは前記顧客話し掛け区間の長さの前記店員話し掛け区間の長さと前記顧客話し掛け区間の長さとの合計に対する比率である請求項１に記載の接客データ記録装置。
【請求項３】
息継ぎのない連続する音声区間を１の発話区間、所定時間以上途切れないまま繰り返される前記店員または前記顧客の前記発話区間の集合体を１の話し掛け区間、としたとき、
前記会話比率算出部は、前記店員話し掛け区間の長さもしくは前記顧客話し掛け区間として、１の前記話し掛け区間に含まれる前記発話区間の長さの合計を算出する請求項１または２に記載の接客データ記録装置。
【請求項４】
前記店員の前記話し掛け区間と前記顧客の話し掛け区間とが所定時間以上途切れないまま交互に繰り返される前記話し掛け区間の集合体を１の会話区間としたとき、
前記会話比率算出部は、前記会話区間に含まれる前記店員の話し掛け区間及び前記顧客の話し掛け区間に基づいて、当該会話区間の会話比率を算出する請求項３に記載の接客データ記録装置。
【請求項５】
前記顧客感情認識部は、前記発話区間単位で感情認識を行うと共に、
前記顧客満足度算出部は、前記発話区間単位で顧客満足度のデータを算出し、前記顧客話し掛け区間の顧客満足度は、当該顧客話し掛け区間に含まれる前記発話区間単位の顧客満足度のデータの平均値である請求項４に記載の接客データ記録装置。
【請求項６】
所定時間以上途切れないまま繰り返される前記会話区間の集合体を１の接客区間としたとき、
前記会話比率算出部は、前記接客区間に含まれる前記会話区間の会話比率の平均値を、当該接客区間の会話比率として算出し、
前記接客データ記録部は、前記会話比率データとして、前記接客区間の会話比率と、前記会話区間の会話比率と、を記録する請求項４または５に記載の接客データ記録装置。
【請求項７】
前記接客データを確認するビューアー画面を表示する画面表示部を備え、
前記画面表示部は、前記店員および／または前記顧客を識別する人物識別情報の選択または入力により、当該人物識別情報を含む前記接客データを抽出して、前記ビューアー画面に表示する請求項１乃至６のいずれか１項に記載の接客データ記録装置。
【請求項８】
店員と顧客の会話を取得する会話取得ステップと、
取得した前記会話から、前記店員の話し掛けによる音声区間である店員話し掛け区間と、前記顧客の話し掛けによる音声区間である顧客話し掛け区間と、を抽出する話し掛け区間抽出ステップと、
前記店員話し掛け区間の長さと前記顧客話し掛け区間の長さとで会話比率のデータを算出する会話比率算出ステップと、
前記顧客話し掛け区間の音声に基づいて、顧客の感情を認識する顧客感情認識ステップと、
前記顧客感情認識ステップによる認識結果に基づいて、顧客満足度のデータを算出する顧客満足度算出ステップと、
算出した前記会話比率データと、算出した前記顧客満足度のデータとを関連付けた接客データをデータベースに記録する接客データ記録ステップと、
を実行することを特徴とする接客データ記録方法。
【請求項９】
コンピューターに、請求項８に記載の接客データ記録方法における各ステップを実行させるためのプログラム。
【手続補正２】
【補正対象書類名】明細書
【補正対象項目名】０００８
【補正方法】変更
【補正の内容】
【０００８】
本発明の接客データ記録装置は、店員と顧客の会話を取得する会話取得部と、取得した会話から、店員の話し掛けによる音声区間である店員話し掛け区間と、顧客の話し掛けによる音声区間である顧客話し掛け区間と、を抽出する話し掛け区間抽出部と、店員話し掛け区間の長さと顧客話し掛け区間の長さとで会話比率のデータを算出する会話比率算出部と、顧客話し掛け区間の音声に基づいて、顧客の感情を認識する顧客感情認識部と、顧客感情認識部の認識結果に基づいて、顧客満足度のデータを算出する顧客満足度算出部と、算出した会話比率のデータと算出した顧客満足度のデータとを関連付けた接客データをデータベースに記録する接客データ記録部と、を備えたことを特徴とする。
ここで、会話比率は、店員話し掛け区間の長さと顧客話し掛け区間の長さとの比率、店員話し掛け区間の長さの店員話し掛け区間の長さと顧客話し掛け区間の長さとの合計に対する比率、もしくは顧客話し掛け区間の長さの店員話し掛け区間の長さと顧客話し掛け区間の長さとの合計に対する比率であることが望ましい。
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
絶縁材よりなる基材上に平面状に導体を巻回させたアンテナコイル部と、
前記アンテナコイル部に接続されて非接触通信の処理を行う通信処理部と、
前記アンテナコイル部で囲まれる位置に配置され、前記アンテナコイル部とは電気的に接続されていない所定面積の金属パターンとを備えた
通信装置。
【請求項２】
該通信装置本体と、前記アンテナコイル部との間に磁性シートを備えた
請求項１記載の通信装置。
【請求項３】
前記金属パターンは金属箔からなる
請求項１記載の通信装置。
【請求項４】
前記金属パターンは、前記基材に対して、前記アンテナコイル部が形成されている平面側に配置される
請求項１記載の通信装置。
【請求項５】
前記金属パターンは、前記基材上に形成される
請求項４記載の通信装置。
【請求項６】
前記金属パターンは、前記基材に対して、前記アンテナコイル部が形成されている平面の裏側に配置される
請求項１記載の通信装置。
【請求項７】
前記金属パターンは、複数の矩形上金属の組合せからなる
請求項１記載の通信装置。
【請求項８】
絶縁材よりなる基材と、
導体を前記基材上に平面状に巻回させたアンテナコイル部と、
前記アンテナコイル部に接続されて非接触通信の処理を行う通信処理部と、
前記アンテナコイル部で囲まれる位置に配置され、前記アンテナコイル部とは電気的に接続されていない所定面積の金属パターンとを備えた
非接触通信媒体。
【請求項９】
少なくとも前記基材と同じサイズで、前記基材に重ねて配置される磁性シートを備えた
請求項８記載の非接触通信媒体。
【請求項１０】
前記金属パターンは、前記アンテナコイル部で囲まれる位置に、第１の方向に複数並べて配置した
請求項９記載の非接触通信媒体。
【請求項１１】
前記金属パターンは、さらに、前記第１の方向と直交する第２の方向に複数並べた
請求項１０記載の非接触通信媒体。
【請求項１２】
前記アンテナコイル部に接続されるコンデンサを備え、前記金属パターンはさらに前記コンデンサとも電気的に接続されていない
請求項８記載の非接触通信媒体。
【請求項１３】
前記通信処理部は、前記アンテナコイル部で受信して前記コンデンサに蓄積された電力で作動する
請求項１２記載の非接触通信媒体。
【請求項１４】
絶縁材よりなる基材と、
導体を前記基材上に平面状に巻回させたアンテナコイル部と、
前記アンテナコイル部で囲まれる位置に配置され、前記アンテナコイル部とは電気的に接続されていない所定面積の金属パターンとを備えた
アンテナコイル配置媒体。
【請求項１５】
絶縁材よりなる基材上に、導体を平面状に巻回させてアンテナコイル部を配置し、その配置したアンテナコイル部で囲まれる位置に、前記アンテナコイル部とは電気的に接続されていない所定面積の金属パターンとを配置し、
前記アンテナコイル部に接続された通信処理部で非接触通信の処理を行う
通信方法。
【手続補正２】
【補正対象書類名】明細書
【補正対象項目名】発明の名称
【補正方法】変更
【補正の内容】
【発明の名称】非接触通信媒体、アンテナコイル配置媒体、通信装置及び通信方法
【手続補正３】
【補正対象書類名】明細書
【補正対象項目名】０００１
【補正方法】変更
【補正の内容】
【０００１】
本発明は、近接したリーダ・ライタとの間で非接触無線通信を行う非接触通信媒体、その非接触通信媒体が備えるアンテナコイル配置媒体、及びその非接触通信媒体を内蔵した通信装置、並びに非接触無線通信を行うものに適用される通信方法に関する。
【手続補正４】
【補正対象書類名】明細書
【補正対象項目名】００２１
【補正方法】変更
【補正の内容】
【００２１】
本発明は、絶縁材よりなる基材上に平面状に導体を巻回させたアンテナコイル部と、アンテナコイル部に接続されて非接触通信の処理を行う通信処理部とを備えたものに適用される。
構成としては、アンテナコイル部で囲まれる位置に、アンテナコイル部とは電気的に接続されていない所定面積の金属パターンを備えたものである。
【手続補正５】
【補正対象書類名】明細書
【補正対象項目名】００２２
【補正方法】変更
【補正の内容】
【００２２】
アンテナコイル部とは電気的に接続されていない所定面積の金属パターンを、アンテナコイル部で囲まれる位置に設けたことで、リーダ・ライタとの最大通信距離を変化させずに、通信不感帯を無くすことが可能になる。
【手続補正書】
【提出日】平成25年5月10日(2013.5.10)
【手続補正１】
【補正対象書類名】特許請求の範囲
【補正対象項目名】請求項１０
【補正方法】変更
【補正の内容】
【請求項１０】
前記第２出力端子が充電されるとき、前記第５トランジスタが前記第１ノードと第２ノードの間を電気的に分離する
請求項８または請求項９記載のシフトレジスタ回路。
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
燃料と空気とを反応させて発電する発電セルを複数積層してなる燃料電池スタックと、
外部から導入された燃料を水蒸気改質することにより改質燃料を生成し、前記燃料電池スタックに供給する改質器と、
前記燃料電池スタックから排出された排燃料の少なくとも一部および排空気を燃焼させ、発生した熱を前記改質器に供給する燃焼器と、
を備え、
前記改質器と前記燃焼器とが一体的に形成されている燃料電池。
【請求項２】
請求項１において、前記燃焼器が触媒によって前記排燃料および排空気を燃焼させる触媒燃焼器であり、前記改質器が前記燃料電池スタックと前記燃焼器との間に配置されている燃料電池。
【請求項３】
請求項１または２において、外部から導入された空気を、前記燃焼器で発生した熱によって加熱して前記燃料電池スタックに供給する空気予熱器を備え、該空気予熱器が前記燃焼器と一体的に形成されている燃料電池。
【請求項４】
請求項３において、前記空気予熱器の少なくとも一部が、前記燃料電池スタックと、前記燃焼器から排出された燃焼ガスの流路との間に配設されている燃料電池。
【請求項５】
請求項４において、前記燃料電池スタックが矩形の前記発電セルを複数積層してなり、前記改質器、前記空気予熱器および前記燃焼器が、前記燃料電池スタックの外周を囲む角筒形状のスタック外囲ユニットを形成しており、このスタック外囲ユニットの内周部に前記改質器および前記空気予熱器が配設され、外周部に前記燃焼器が配設されている燃料電池。
【手続補正２】
【補正対象書類名】明細書
【補正対象項目名】００１２
【補正方法】変更
【補正の内容】
【００１２】
本発明に係る燃料電池において、前記燃料電池スタックが矩形の前記発電セルを複数積層してなり、前記改質器、前記空気予熱器および前記燃焼器が、前記燃料電池スタックの外周を囲む角筒形状のスタック外囲ユニットを形成しており、このスタック外囲ユニットの内周部に前記改質器および前記空気予熱器が配設され、外周部に前記燃焼器が配設されていてもよい。この構成によれば、上述のように発電効率に優れる燃料電池の小型化を図ることができる。